(57)【要約】【課題】遊技盤の開口面積を実質的に小さくでき、遊技盤全体の強度、剛性の低下を未然に防止できるようにする。【解決手段】遊技盤５に遊技部品３７，６９，１１８を装着し、この遊技部品３７，６９，１１８の複数の挿通部５４，６４を遊技盤５の開口部５５，６３に挿通する。遊技盤５は挿通部５４，６４毎に開口部５５，６３を備える。遊技部品６７は遊技盤５の前面側に露出する入賞口７４と、入賞口７４を開閉する開閉部材７８とを備えた入賞手段４０であり、入賞口７４及び開閉部材７８が開口部に挿通される１の挿通部を構成してもよい。【選択図】図３
2014217454.tif 000002
【特許請求の範囲】
【請求項１】
遊技盤に遊技部品を装着し、
該遊技部品の複数の挿通部を前記遊技盤の開口部に挿通した弾球遊技機において、
前記遊技盤に前記挿通部毎に前記開口部を備えた
ことを特徴とする弾球遊技機。
【請求項２】
前記遊技部品は部品本体と、該部品本体から突出する前記挿通部とを備え、
前記開口部は前記遊技部品のうち前記挿通部のみを挿通可能な大きさである
ことを特徴とする請求項１に記載の弾球遊技機。
【請求項３】
前記遊技部品は第１挿通部を有する第１部品と、第２挿通部を有する第２部品とを備えた複合部品であり、
前記遊技盤は前記第１挿通部が挿通される第１開口部と、前記第２挿通部が挿通される第２開口部とを別々に備えた
ことを特徴とする請求項１又は２に記載の弾球遊技機。
【請求項４】
前記遊技盤の前側に配置された前部材に前記第１部品と前記第２部品とを備えた複合部品である
ことを特徴とする請求項３に記載の弾球遊技機。
【請求項５】
前記遊技部品は前記遊技盤の前面側に露出する入賞口と、該入賞口を開閉する開閉部材とを備えた入賞手段であり、
前記入賞口及び前記開閉部材が前記開口部に挿通される１の挿通部を構成する
ことを特徴とする請求項１〜４の何れかに記載の弾球遊技機。
【請求項６】
前記遊技盤は前記開口部が形成された前壁部と、前記遊技盤の裏側から前記前壁部側に凹入して形成された凹部とを有し、
該凹部に前記入賞手段の部品本体の少なくとも前部側が収まっている
ことを特徴とする請求項５に記載の弾球遊技機。
【請求項７】
前記遊技部品は発光演出部と、前記発光演出部に光を照射して発光させる発光体と、前記遊技盤の前記開口部に挿通されるコネクタを備えた発光演出手段である
ことを特徴とする請求項１〜４の何れかに記載の弾球遊技機。
【請求項８】
前記発光体が装着された発光基板を、板面方向が前記遊技盤に対して交差する方向に配置し、
前記発光基板は前記遊技盤の前記開口部内に突出し且つ前記コネクタが装着された突部を有する
ことを特徴とする請求項７に記載の弾球遊技機。  
【発明の詳細な説明】
【技術分野】
【０００１】
本発明は、パチンコ機、アレンジボール機等の弾球遊技機に関するものである。
【背景技術】
【０００２】
パチンコ機等の弾球遊技機には、遊技盤の前面の遊技領域の略中央に画像表示手段を配置すると共に、この画像表示手段の下側の左右略中央に特別図柄始動手段と可変入賞手段とを上下に配置し、その左右両側に複数の普通入賞手段を結合した複合式普通入賞手段を配置したものがある（特許文献１）。
【０００３】
例えば一側に可動演出手段を備えた画像表示手段の場合には、可動演出手段及び画像表示手段に対応する大きさの大きな開口部を遊技盤の略中央に形成し、この開口部に対応して遊技盤の前後両側に前飾り枠と裏支持枠とを装着し、その裏支持枠に、前飾り枠の表示窓に対応する画像表示部と、画像表示部の一側に配置された可動演出手段とを装着している。
【０００４】
また複合式普通入賞手段は球検出スイッチを有する複数個の普通入賞手段を結合して一組とし、その複数個の普通入賞手段に対応する大きさの開口部を遊技盤に形成し、この開口部に球検出スイッチを含む各普通入賞手段を嵌め込んで装着している。
【先行技術文献】
【特許文献】
【０００５】
【特許文献１】特開２００９−１７２２０６号公報
【発明の概要】
【発明が解決しようとする課題】
【０００６】
従来の弾球遊技機では、可動演出手段付きの画像表示手段、複合式普通入賞手段等のように、遊技盤を前後に挿通して配置される挿通部が複数ある場合には、その複数の挿通部を含む全てが挿通可能な大きさの大きい開口部を遊技盤に形成し、その開口部に複数の挿通部を全て挿通して組み立てるようにしている。
【０００７】
そのため従来は遊技盤の開口部が非常に大きくなり、複数の開口部が比較的近接して配置された遊技盤では、遊技盤全体の強度、剛性が低下するという問題がある。一方、近年の遊技盤は、可動演出手段を含む画像表示手段の大型化等により非常に重量的にも重たくなる傾向にあり、その重量の増加に伴なって遊技盤の各部に歪みが生じて耐久性が低下する等の惧れもある。
【０００８】
本発明は、このような従来の問題点に鑑み、遊技盤の開口面積を実質的に小さくでき、遊技盤全体の強度、剛性の低下を未然に防止できる弾球遊技機を提供することを目的とする。
【課題を解決するための手段】
【０００９】
本発明は、遊技盤に遊技部品を装着し、該遊技部品の複数の挿通部を前記遊技盤の開口部に挿通した弾球遊技機において、前記遊技盤に前記挿通部毎に前記開口部を備えたものである。
【００１０】
前記遊技部品は部品本体と、該部品本体から突出する前記挿通部とを備え、前記開口部は前記遊技部品のうち前記挿通部のみを挿通可能な大きさであることが望ましい。前記遊技部品は第１挿通部を有する第１部品と、第２挿通部を有する第２部品とを備えた複合部品であり、前記遊技盤は前記第１挿通部が挿通される第１開口部と、前記第２挿通部が挿通される第２開口部とを別々に備えたものでもよい。
【００１１】
前記遊技盤の前側に配置された前部材に前記第１部品と前記第２部品とを備えた複合部品であってもよい。前記遊技部品は前記遊技盤の前面側に露出する入賞口と、該入賞口を開閉する開閉部材とを備えた入賞手段であり、前記入賞口及び前記開閉部材が前記開口部に挿通される１の挿通部を構成してもよい。
【００１２】
前記遊技盤は前記開口部が形成された前壁部と、前記遊技盤の裏側から前記前壁部側に凹入して形成された凹部とを有し、該凹部に前記入賞手段の本体部の少なくとも前部側が収まっていてもよい。前記遊技部品は発光演出部と、前記発光演出部に光を照射して発光させる発光体と、前記遊技盤の前記開口部に挿通されるコネクタを備えた発光演出手段であってもよい。
【００１３】
前記発光体が装着された発光基板を、板面方向が前記遊技盤に対して交差する方向に配置し、前記発光基板は前記遊技盤の前記開口部内に突出し且つ前記コネクタが装着された突部を有するものでもよい。
【発明の効果】
【００１４】
本発明では、遊技盤の開口面積を実質的に小さくでき、遊技盤全体の強度、剛性の低下を未然に防止できる利点がある。
【図面の簡単な説明】
【００１５】
【図１】本発明の第１の実施形態を示すパチンコ機の斜視図である。
【図２】同パチンコ機のガラス扉、前面扉を取り外した状態の正面図である。
【図３】同遊技盤の正面図である。
【図４】同遊技盤の下部側部分の正面図である。
【図５】同複合手段の正面断面図である。
【図６】同遊技盤の平面断面図である。
【図７】同遊技盤の側面断面図である。
【図８】同遊技盤の側面断面図である。
【図９】本発明の第２の実施形態を示す複合手段等の正面断面図である。
【図１０】本発明の第３の実施形態を示す遊技盤の側面断面図である。
【図１１】同第２大入賞手段の一部破断斜視図である。
【図１２】本発明の第４の実施形態を示す遊技盤の平面断面図である。
【図１３】同第１大入賞手段部分の側面断面図である。
【図１４】同普通入賞手段部分の側面断面図である。
【図１５】本発明の第５の実施形態を示す複合手段等の正面断面図である。
【図１６】同発光演出手段部分の側面断面図である。
【図１７】同発光演出手段部分の平面断面図である。
【発明を実施するための形態】
【００１６】
以下、本発明の実施形態を図面に基づいて詳述する。図１〜図８は本発明をパチンコ機に採用した第１の実施形態を例示している。パチンコ機１は、図１、図２に示すように、矩形状の外枠２と、この外枠２の前側に縦方向のヒンジ３廻りに開閉自在に枢着された前枠４と、前枠４に着脱自在に装着された遊技盤５と、前枠４の前側で上下に配置され且つヒンジ３ａと略同一軸心のヒンジ６廻りに前枠４に開閉自在に装着されたガラス扉７及び前面扉８とを備えている。
【００１７】
ガラス扉７は窓孔９を有する扉枠１０と、この扉枠１０の裏側に着脱自在に装着されたガラスユニット１１とを備え、窓孔９側からガラスユニット１１を介して遊技盤５の遊技領域１２を前側から視認できるようになっている。扉枠１０の上部には効果音用の左右一対のスピーカ１３と、このスピーカ１３間に配置されたＬＥＤ式等の発光演出手段１４とが設けられている。
【００１８】
前面扉８の前側には、発射用の遊技球を貯留する上貯留皿１５と、余剰球を貯留する下貯留皿１６とが上下に装着され、下貯留皿１６の左右方向の一側方に発射手段１７（図２参照）を作動させるための発射ハンドル１８と、発射ハンドル１８の周辺で裏側に配置された効果音用の下部スピーカ１９とが設けられている。上貯留皿１５の前側には操作ボタン兼用の回転発光式の発光演出手段２０とチャンスボタン２１とが配置されている。
【００１９】
前枠４は、図２に示すように、外枠２の前側に当接する前枠部４ａと、この前枠部４ａの内周側から外枠２の内側へと屈曲する内枠部４ｂとを有し、その内枠部４ｂ内に遊技盤装着部２２と支持板２３とが上下に設けられている。遊技盤装着部２２には遊技盤５が前側から着脱自在に装着され、また支持板２３には遊技盤５へと遊技球を発射するための発射手段１７が装着されている。
【００２０】
遊技盤装着部２２は遊技盤５が前側から挿入可能な矩形枠状であって、図２、図６、図７に示すように、支持板２３の上側に形成され且つ遊技盤５を下側から受ける受け部２２ａと、遊技盤５の裏面が当接する裏側当接部２２ｂと、ヒンジ３側の縦枠部２２ｃの内側に設けられた上下一対の係合部２２ｄと、ヒンジ３と反対側に設けられた上下一対のロック手段２４とを有する。
【００２１】
そして、遊技盤５を遊技盤装着部２２に装着する際には、遊技盤５の一端側を受け部２２ａ上で裏側当接部２２ｂと係合部２２ｄとの間に挿入し、係合部２２ｄ側を支点として遊技盤５の他端側を遊技盤装着部２２内に押し込んだ後、ロック手段２４により締め付けて裏側当接部２２ｂに当接した状態で遊技盤５を遊技盤装着部２２内に固定するようになっている。
【００２２】
発射手段１７は、図２に示すように、支持板２３の前面に装着された発射板２６と、この発射板２６に固定された発射レール２７と、前後方向の駆動軸２８廻りに回転して発射レール２７上の遊技球を遊技盤５側へと打撃する打撃槌２９と、発射板２６の裏側に装着された打撃槌２９用の駆動手段３０とを備え、遊技者が発射ハンドル１８を把持して回動操作したときに、駆動手段３０の駆動により作動して、上貯留皿１５から発射レール２７上に１個ずつ供給される遊技球を遊技盤５側へと発射させるようになっている。
【００２３】
遊技盤５には光透過性を有する透明遊技盤が採用されている。即ち、この遊技盤５は例えば透明なアクリル製の射出成型品であって、図６〜図８に示すように、前面が平坦状に形成されると共に、外周に遊技盤装着部２２の深さに相当する周壁部３２が設けられ、その周壁部３２を遊技盤装着部２２内に嵌め込むようになっている。
【００２４】
遊技盤５の前面側には、図３、図４に示すように、ガラス扉７の窓孔９を経て前側から視認可能な遊技領域１２の他に、この遊技領域１２の外周側を取り囲むガイドレール３３、前飾り部材３４、区画部材３５等が環状に装着されている。
【００２５】
遊技盤５の遊技領域１２内には略中央に画像表示手段３７が配置され、その画像表示手段３７の下側に特別図柄始動手段３８、第１大入賞手段３９、第２大入賞手段４０、普通図柄始動手段４１、普通入賞手段４２等の遊技部品が配置されている。区画部材３５には普通図柄表示手段４３、特別図柄表示手段４４が設けられている。
【００２６】
ガイドレール３３は発射手段１７により発射された遊技球を遊技領域１２の上部側へと案内するためのもので、金属製の帯状の外レール３３ａと内レール３３ｂとを備え、その両レール３３ａ，３３ｂ間に形成された案内通路４５を経て遊技球を遊技領域１２の上部側へと案内するようになっている。
【００２７】
内レール３３ｂの上端には、発射方向への遊技球の通過を許容し且つ遊技領域１２から案内通路４５への遊技球の戻りを阻止する戻り球阻止片４６が配設されている。内レール３３ｂは遊技領域１２に沿ってその最下部へと延びている。遊技領域１２の最下部には、アウト球を遊技盤５の裏側を経て外部へと回収するアウト口４７と、アウト口４７へとアウト球を案内する球寄せ部４８とが設けられている。
【００２８】
画像表示手段３７は遊技盤５の開口部５５に対応して遊技盤５の裏側に装着された液晶式等の画像表示部５０と、遊技盤５の前面に装着され且つ画像表示部５０の外周部分を飾る前飾り枠５１とを備えている。遊技領域１２には前飾り枠５１を挟んで左打ち通路５２と右打ち通路５３とが設けられている。前飾り枠５１は画像表示部５０の前側外周に対応して後方に突出する周壁状の窓枠部５４を有し、その窓枠部５４を遊技盤５の開口部５５に前側から挿通して遊技盤５に前側から着脱自在に装着されている。
【００２９】
なお、画像表示手段３７では、遊技盤５の前面側の前飾り枠５１により部品本体が構成され、前飾り枠５１から後方に突出する窓枠部５４により挿通部が構成されている。そして、遊技盤５の開口部５５は、前飾り枠５１と窓枠部５４とのうち、その窓枠部５４のみを挿通可能な大きさになっている。
【００３０】
画像表示部５０は液晶式、その他の表示パネルにより構成され、遊技盤５の裏側に支持枠（図示省略）を介して装着されている。この画像表示部５０は１個又は複数個の数字図柄等の演出図柄５６ａ〜５６ｃを表示する機能と、演出図柄５６ａ〜５６ｃの背景画像、リーチ等の各種演出画像等の遊技に応じて表示する機能とを有する。
【００３１】
演出図柄５６ａ〜５６ｃは画像表示部５０の適当な位置に複数個、例えば３個表示され、その各演出図柄５６ａ〜５６ｃは特別図柄表示手段４４の特別図柄の変動に同期して変動を開始し、所定の変動パターンを経て所定時間変動した後、特別図柄の変動終了に同期して所定の順序で順次停止する。
【００３２】
演出図柄５６ａ〜５６ｃの変動後の停止図柄は、特別図柄表示手段４４の特別図柄が特別遊技態様で停止するときには全てが揃う特別遊技演出態様となり、特別図柄が非特別遊技態様で停止するときには少なくとも一部が異なる非特別遊技演出態様となる。
【００３３】
即ち、特別図柄が特別遊技態様で停止するときには、演出図柄５６ａ〜５６ｃは例えば「７・７・７」等の特別遊技演出態様で停止し、特別図柄が非特別遊技態様で停止するときには、演出図柄５６ａ〜５６ｃは例えば「３・４・５」等の非特別遊技演出態様で停止する。
【００３４】
演出図柄５６ａ〜５６ｃの特別遊技演出態様には確率変動図柄（以下、確変図柄という）と非確率変動図柄（以下、非確変図柄という）とがあり、確変図柄には例えば「３」と「７」とが設定され、また非確変図柄には確変図柄以外の図柄が設定されている。画像表示部５０は演出図柄５６ａ〜５６ｃが確変図柄を停止表示したときには、３個の演出図柄５６ａ〜５６ｃの表示終了後に、その右下等の適当箇所に確変図柄の「３」等を表示するようになっている。
【００３５】
前飾り枠５１は、図３に示すように、遊技盤５から前側に突出し且つ画像表示部５０を取り囲む門形状の突出部５７と、画像表示部５０の下側に配置されたステージ部材５８とを有する。前飾り枠５１の突出部５７には、画像表示部５０の上側に配置された発光演出手段（遊技部品）５９と、画像表示部５０に対してガイドレール３３と反対側に配置された可動演出手段６５が設けられている。
【００３６】
発光演出手段５９は、前飾り枠５１の突出部５７の正面に形成された発光演出部６０と、この発光演出部６０の裏側に対応して突出部５７内に配置された発光基板６１と、発光基板６１の前面に装着され且つ発光演出部６０に光を照射する複数個のＬＥＤ等の発光体６２とを備え、演出図柄５６ａ〜５６ｃの変動表示、予告表示等に伴って発光演出部６０を適宜発光させて遊技状態を視覚的に演出するようになっている。
【００３７】
発光基板６１は後方へと突出して遊技盤５の開口部６３に前側から挿通されたコネクタ６４を裏側に備え、このコネクタ６４に演出制御基板からのハーネスが接続されている。遊技盤５には画像表示手段３７に対応して少なくとも２個の開口部５５，６３が別々に設けられている。開口部５５は画像表示部５０及び窓枠部５４に、開口部６３は発光演出手段５９のコネクタ６４に夫々対応する大きさであって、その開口部５５には窓枠部５４が、開口部６３にはコネクタ６４に夫々前側から挿通されている。
【００３８】
なお、発光演出手段５９では、前飾り枠５１側の発光演出部６０、発光基板６１等により部品本体が構成され、発光基板６１から後方に突出するコネクタ６４により挿通部が構成されている。そして、遊技盤５の開口部６３は部品本体と挿通部とのうち、その挿通部のみが挿通可能な大きさになっている。
【００３９】
可動演出手段６５は画像表示部５０の右側近傍に配置され且つ前後軸廻りに回転する発光式の回転円板６５ａを有し、画像表示部５０に表示される演出画像や特別遊技の期待度等に応じて回転円板６５ａが点滅発光しながら回転するようになっている。なお、可動演出手段６５は回転円板６５ａ以外の種々の形状としてもよい。例えば回転円板６５ａに代えて竜の頭、剣等の形態をしたものを配置してもよい。
【００４０】
遊技領域１２の下部には特別図柄始動手段３８と第１大入賞手段３９とが上下に配置され、その右側に普通図柄始動手段４１、第２大入賞手段４０及び発光演出手段（遊技部品）６７，６８を含む複合手段（複合部品）６９が配置されている。なお、第１大入賞手段３９の左右近傍には各普通入賞手段４２が設けられている。
【００４１】
特別図柄始動手段３８はステージ部材５８の下方に配置されており、非開閉式の第１特別図柄始動口３８ａと開閉式の第２特別図柄始動口３８ｂとを有し、この特別図柄始動口３８ａ，３８ｂの何れかに遊技球が入賞する始動検出を条件に特別図柄表示手段４４の特別図柄が所定時間変動して、その変動後の特別図柄が始動検出時の特別遊技、非特別遊技の抽選結果に応じて特別態様、非特別態様の何れかで停止するようになっている。
【００４２】
なお、特別遊技は遊技者に有利な遊技態様であり、非特別遊技は特別遊技以外の遊技態様である。特別図柄始動手段３８が遊技球を検出することを契機に遊技態様の抽選、特別図柄の変動等が行われると共に、特別図柄の変動に同期して画像表示部５０の演出図柄５６ａ〜５６ｃが所定時間変動して特別遊技演出態様、非特別遊技演出態様に対応する態様で停止する。
【００４３】
第２特別図柄始動口３８ｂは開閉部材３８ｃを備えており、開閉部材３８ｃが開放したときに遊技球が入賞し易い状態となる。なお、開閉部材３８ｃは普通図柄表示手段４３の変動後の普通図柄を特定遊技態様とする抽選に当選したときに、所定時間（例えば１秒）の開放を所定回数（例えば２回）行うようになっている。
【００４４】
ステージ部材５８は画像表示部５０の前側に左右方向に配置され、前飾り枠５１のワープ口７１からの遊技球が左右方向に転動する転動路７２と、この転動路７２で振分けられた遊技球を遊技盤５の前側に落下させる中央案内溝７２ａ及び左右案内溝７２ｂ，７２ｃとを有する。
【００４５】
特別図柄表示手段４４は７セグメント素子により構成され、各特別図柄始動口３８ａ，３８ｂへの遊技球の入賞を契機として特別図柄が所定時間変動し、変動後の特別図柄が遊技態様の抽選結果に応じて特別遊技態様、非特別遊技態様の何れかを停止表示するようになっている。
【００４６】
例えば、斜め方向に配置された３個の７セグメント素子の内、その上側の１個の７セグメント素子は第１特別図柄始動口３８ａへの遊技球の入賞により特別図柄（例えば第１特別図柄）の変動表示を、中間の１個の７セグメント素子は第２特別図柄始動口３８ｂへの遊技球の入賞により特別図柄（例えば第２特別図柄）の変動表示を夫々行い、その変動後に特別遊技態様、非特別遊技態様の何れかを停止表示するようになっている。下側の１個の７セグメント素子は特別図柄及び普通図柄の保留球数等を表示する。
【００４７】
なお、この実施形態では、遊技球が第１特別図柄始動口３８ａに入賞したときには第１特別図柄が、第２特別図柄始動口３８ｂに入賞したときには第２特別図柄が夫々変動するようにしているが、特別図柄始動口３８ａ，３８ｂの何れに入賞したときにも第１特別図柄が所定時間変動して停止するようにしてもよい。
【００４８】
普通図柄表示手段４３は複数個のＬＥＤ等の発光素子からなり、普通図柄始動手段４１が遊技球を検出することを条件に普通図柄が所定時間変動し、変動後の普通図柄が特定遊技、非特定遊技の遊技態様の抽選結果に応じて特定遊技態様、非特定遊技態様の何れかを停止表示するようになっている。なお、特定遊技は遊技者に有利な遊技態様である。
【００４９】
第１大入賞手段３９、第２大入賞手段４０は共に開閉型であって、特別図柄表示手段４４の変動後の特別図柄が特別遊技態様で停止したときに、その後の特別遊技において第１大入賞口７３、第２大入賞口７４に所定個数の遊技球が入賞するか所定時間経過するまで開放するようになっている。
【００５０】
第１大入賞手段３９、第２大入賞手段４０は、遊技球が第１特別図柄始動口３８ａに入賞して第１特別図柄が特別遊技態様で停止したときには第１大入賞手段３９が、遊技球が第２特別図柄始動口３８ｂに入賞して第２特別図柄が特別遊技態様で停止したときには第２大入賞手段４０が夫々開閉動作をする。
【００５１】
なお、特別遊技中は何れかの大入賞手段３９，４０の１回又は複数回の開閉動作を１ラウンドとして、所定ラウンド、例えば１６ラウンドまで開閉動作を継続するようになっている。そのため特別遊技になれば、各ラウンド毎に第１大入賞手段３９、第２大入賞手段４０に多数の遊技球が入賞することとなり、遊技者は多くの賞球を獲得することができる。
【００５２】
第１大入賞手段３９は、正面視で略横長矩形状の第１大入賞口７３と、下辺の横軸廻りに回動して第１大入賞口７３を開閉する開閉扉７５を備えており、開閉扉７５が横軸廻りに前側から回動して第１大入賞口７３を開放したときに、上側から落下する遊技球を開閉扉７５を経て第１大入賞口７３へと案内するようになっている。
【００５３】
複合手段６９は、図２〜図７に示すように、遊技盤５の前面に装着された取り付け板（前部材）７６と、右打ち通路５３の下側で取り付け板７６に設けられ且つ右打ち通路５３からの遊技球を遊技領域１２の中央側へと案内する球案内部７７と、球案内部７７の下側に配置された発光演出手段６７と、球案内部７７よりも中央寄りの下側に配置され且つ前後方向に出退する開閉部材７８を備えた第２大入賞手段４０と、第２大入賞手段４０の下側に配置された発光演出手段６８と、球案内部７７と第２大入賞手段４０との中間で取り付け板７６に装着された普通図柄始動手段４１と、普通図柄始動手段４１の周辺から発光演出手段６７，６８間、及び発光演出手段６８の下側を経てアウト口４７側へと通じる球流下通路７９と、取り付け板７６の前側に相対向して配置され且つ発光演出手段６７，６８、第２大入賞手段４０、球案内部７７の前側に配置された前板８０とを備えている。
【００５４】
そして、遊技中に遊技領域１２の頂部右側に集中するように遊技球を発射すると、その遊技球は画像表示手段３７と前飾り部材３４との間の右打ち通路５３に入り、その右打ち通路５３から球案内部７７上に落下した後、球案内部７７に沿って遊技盤５の中央側へと案内されて行く。球案内部７７を通過した遊技球は下方へと落下して、普通図柄始動手段４１を通過するか、又は普通図柄始動手段４１の周辺を経て球流下通路７９からアウト口４７へと移動する。
【００５５】
また球案内部７７を通過した後、第２大入賞手段４０側へと転動する。このとき第２大入賞手段４０の開閉部材７８が前進した閉鎖位置にあれば、その遊技球は開閉部材７８上を通過して遊技領域１２の中央側へと案内されて、普通入賞手段４２に入賞するか、第１大入賞手段３９に入賞する等する。また開閉部材７８が後退した開放位置にあれば、その第２大入賞手段４０側へと移動した遊技球の多くが第２大入賞口７４へと入賞する。
【００５６】
発光演出手段６７は、図４〜図６に示すように、取り付け板７６から前側に一体に突出する周壁８１と、前面側の前板８０に形成された発光演出部８２と、遊技盤５の前側で取り付け板７６の前側で発光演出部８２の裏側に配置された発光基板８３と、発光基板８３に装着され且つ発光演出部８２に裏側から光を照射する複数個のＬＥＤ等の発光体８４と、裏側に突出して発光基板８３に装着されたコネクタ８５とを備えている。コネクタ８５は遊技盤５に形成された開口部８６に前後方向に挿通され、裏側に演出基板からのハーネス側コネクタが着脱自在に接続されている。
【００５７】
周壁８１の上面に球案内部７７が設けられており、右打ち通路５３から落下する遊技球を遊技領域１２の中央側へと案内するように傾斜状に形成されている。第２大入賞手段４０は球案内部７７よりも遊技領域１２の中央側に上下方向の段差を置いて配置され、この第２大入賞手段４０と球案内部７７との間に普通図柄始動手段４１が設けられている。
【００５８】
第２大入賞手段４０は、図５、図６、図７に示すように、遊技盤５の裏側に配置されたケース状の本体部８９と、遊技盤５の前側で上向きに開口する第２大入賞口７４と、本体部８９の上部側に前後方向に摺動自在に設けられ且つ第２大入賞口７４の上側を開閉する開閉部材７８と、この開閉部材７８を前後方向に出退駆動する駆動手段９０と、第２大入賞口７４に入賞した遊技球を検出する検出スイッチ１０７とを備えている。
【００５９】
遊技盤５は前面側が平坦状であって、図６〜図８に示すように、裏側へと突出する周壁部３２を外周の略全周に一体に備え、裏面側を凹凸状に形成することにより、遊技領域１２に対応する領域に配置された厚肉部９２と、この厚肉部９２と周壁部３２との間に配置され且つ厚肉部９２よりも薄い薄肉部９３と、薄肉部９３の必要箇所を補強する補強リブ９４とが夫々設けられている。
【００６０】
遊技盤５の厚肉部９２には画像表示手段３７、第１大入賞手段３９、複合手段６９、普通入賞手段４２等の遊技部品が装着されている。なお、厚肉部９２と薄肉部９３との境界部分はその略全周が厚肉部９２の裏側へと傾斜する傾斜面９２ａとなっている。
【００６１】
遊技盤５の第２大入賞手段４０の本体部８９に対応する部分には、厚肉部９２の裏面から前側に凹入する凹部９５が形成され、この凹部９５の前側が肉厚の薄い前壁部９６となっている。本体部８９は上又は左右両側等の複数箇所に取り付け部９７を有し、前部側が遊技盤５の裏側の凹部９５に収まった状態で各取り付け部９７がネジ等の固定手段９８により遊技盤５の厚肉部９２に裏側から着脱自在に装着されている。
【００６２】
第２大入賞口７４を形成する上向き状の入賞口壁７４ａは、図５に示すように、その発光演出手段６８の周壁９９と共に取り付け板７６から前側に突出して一体に形成されている。入賞口壁７４ａは取り付け板７６の開口部１００、遊技盤５の前壁部９６の開口部１０１を介して本体部８９の前部から下側に形成された入賞通路１０２に連通し、第２大入賞口７４に入った遊技球を遊技盤５の裏側へと誘導するようになっている。
【００６３】
開閉部材７８は本体部８９内の左右両側の摺動案内部により前後方向に摺動自在に支持案内されると共に、取り付け板７６及び遊技盤５の開口部１００，１０１に前後方向に挿通され、その前部側が取り付け板７６から出退して第２大入賞口７４を開閉するようになっている。
【００６４】
駆動手段９０は本体部８９内に設けられたソレノイド９０ａにより構成され、連動機構１０３を介して開閉部材７８を前後方向に出退駆動する。連動機構１０３は横軸１０４により本体部８９に揺動自在に枢支され且つ上端部が開閉部材７８の係合部に係合する揺動アーム１０５と、前後方向に移動して揺動アーム１０５とソレノイド９０ａとを連結する連結部材１０６とを備えている。なお、開閉部材７８は通常時には閉鎖状態にあり、開放指令によりソレノイド９０ａが励磁又は消磁することによって後退して第２大入賞口７４を開放するようになっている。
【００６５】
入賞通路１０２は本体部８９の前部側に上下方向に配置され、その部分に遊技球を検出する検出スイッチ１０７が設けられている。検出スイッチ１０７は上下に偏平な矩形状であり、遊技盤５の前壁部９６に近接して長手方向を左右方向に向けて設けられており、この検出スイッチ１０７の少なくとも前部側が遊技盤５の凹部９５内に配置されている。
【００６６】
周壁９９の上部側には第２大入賞口７４の左右両側に球案内部９９ａ，９９ｂが形成されており、開閉部材７８が第２大入賞口７４を閉じたときに、球案内部９９ａ，９９ｂ及び開閉部材７８を経て遊技球を遊技領域１２の中央側へと案内するようになっている。
【００６７】
発光演出手段６８は、図４、図５、図７に示すように、取り付け板７６から前側に一体に突出する周壁９９と、前面側の前板８０に形成された発光演出部１０８と、遊技盤５及び取り付け板７６の前側で発光演出部１０８の裏側に配置された発光基板１０９と、発光基板１０９に装着され且つ発光演出部１０８に裏側から光を照射する複数個のＬＥＤ等の発光体１１０と、裏側に突出して発光基板１０９に装着されたコネクタ１１１とを備えている。
【００６８】
コネクタ１１１は遊技盤５に形成された開口部１１２に前後方向に挿通され、裏側に演出基板からのハーネス側コネクタが着脱自在に接続されている。なお、コネクタ１１１は遊技盤５の開口部１１２に挿通された挿通部を構成している。
【００６９】
普通図柄始動手段４１は、図４〜図６、図７に示すように、取り付け板７６から前側に突出して設けられた通過口部１１３と、通過口部１１３を通過する遊技球を検出する検出スイッチ１１４と、通過口部１１３を通過した遊技球を中央側に案内する案内部１１５とを有する。
【００７０】
検出スイッチ１１４は上下方向に偏平状で前後方向に長い矩形状であって、取り付け板７６に裏側から通過口部１１３側へと挿入して係止爪等により着脱自在に係止されている。検出スイッチ１１４は取り付け板７６から後方に突出しており、遊技盤５に形成された開口部１１６に前後方向に挿通されている。検出スイッチ１１４の後端側には主基板からのハーネス側コネクタが着脱自在に接続されている。なお、検出スイッチ１１４は挿通部を構成している。
【００７１】
遊技盤５には複合手段６９に対応して発光演出手段６７，６８用の開口部８６，１１２と、第２大入賞手段４０の開口部１０１と、普通図柄始動手段４１用の開口部１１６との少なくとも４個の開口部８６，１０１，１１２，１１６が別々に設けられている。
【００７２】
複合手段６９では、遊技盤５の前面側に配置された取り付け板（前部材）７６等により、第２大入賞手段４０、普通図柄始動手段４１、発光演出手段６７，６８の部品本体が構成され、開閉部材７８、コネクタ８５，１１１、検出スイッチ１１４等により挿通部が構成されている。そして、遊技盤５の開口部８６，１０１，１１２，１１６は、本体部と挿通部とのうち、挿通部のみを挿通可能な大きさである。
【００７３】
３個の普通入賞手段４２の内、２個の普通入賞手段４２は第１大入賞手段３９の両側に配置され且つ取り付け板（前部材）１１７を介して第１大入賞手段３９と共に遊技盤５に装着され、また残りの１個の普通入賞手段４２は発光演出手段１１８と共に取り付け板（前部材）１１９を介して遊技盤５に装着されている。取り付け板１１９は内レール３３ｂに沿って内側に配置されている。
【００７４】
発光演出手段１１８は、図４、図５、図８に示すように、取り付け板１１９の前面に装着された周壁１２０と、この周壁１２０の前端側に一体に形成された発光演出部１２１と、遊技盤５及び取り付け板７６の前側で発光演出部１２１の裏側に配置された発光基板１２２と、発光基板１２２に装着され且つ発光演出部１２１に裏側から光を照射する複数個のＬＥＤ等の発光体１２３と、裏側に突出して発光基板１２２に装着されたコネクタ１２４とを備えている。コネクタ１２４は遊技盤５に形成された開口部１２５に前後方向に挿通され、裏側に演出基印からのハーネス側コネクタが着脱自在に接続されている。
【００７５】
普通入賞手段４２は、図４、図５、図８に示すように、取り付け板１１９の前側で普通入賞口１２６を形成する口部材１２７と、口部材１２７の裏側で取り付け板１１９から後方に突出する本体部１３５とを備えている。本体部１３５は取り付け板１１９に一体に形成され且つ普通入賞口１２６に連通する入賞通路１２８と、入賞通路１２８の下部側に装着され且つ普通入賞口１２６に入賞した遊技球を検出する検出スイッチ１２９とを備え、入賞通路１０２及び検出スイッチ１２９が遊技盤５の開口部１３０に前後方向に挿脱自在に挿通されている。
【００７６】
遊技盤５には発光演出手段１１８、普通入賞手段４２に対応して発光演出手段１１８用の開口部１２５と、普通入賞手段４２用の開口部１３０との少なくとも２個の開口部１２５，１３０が別々に設けられている。口部材１２７は取り付け板１１９に一体でもよいし、取り付け板１１９に着脱自在に装着してもよい。
【００７７】
発光演出手段１１８では、遊技盤５の前側の取り付け板１１９等により部品本体が構成され、コネクタ１２４により挿通部が構成されている。また普通入賞手段４２では、遊技盤５の前側の取り付け板１１９等により部品本体が構成され、入賞通路１０２及び検出スイッチ１２９により挿通部が構成されている。そして、遊技盤５の開口部１２５，１３０は、本体部と挿通部とのうち、その挿通部のみを挿通可能な大きさである。
【００７８】
遊技盤５の前面下部には、証紙貼付部１３１、発光演出手段１３２、前飾り部１３３を有する前飾り部材１３４が設けられている。
【００７９】
この実施形態のように、遊技盤５の遊技領域１２に画像表示手段３７、第１大入賞手段３９、複合手段６９、普通入賞手段４２等の遊技部品を装着するに当たって、例えば複合手段６９に例示されるように４個の開口部８６，１０１，１１２，１１６を別々に設けて、その各開口部８６，１０１，１１２，１１６に取り付け板７６側から後方に突出する本体部８９、コネクタ８５，１１１、検出スイッチ１１４の４個を夫々別々に挿通する構成を採用することにより、遊技盤５側の開口部８６，１０１，１１２，１１６の数が増えるものの開口部８６，１０１，１１２，１１６自体の個々の大きさを必要最小限にできるため、遊技盤５の全体に締める開口部分の割合が少なくなり、遊技盤５の強度、剛性を容易に確保することができる。
【００８０】
また遊技盤５の裏側から前側に凹入する凹部９５、その前側の前壁部９６とがあり、その凹部９５内に本体部８９の前側を配置しているため、遊技盤５の強度の低下を抑えつつ、本体部８９の遊技盤５から裏側への突出量を小さくできる。
【００８１】
更に遊技盤５をアクリル等の合成樹脂材により射出成型する場合には、予め金型に開口部８６，１０１，１１２，１１６等の成型部を設けておけばよいので、開口部８６，１０１，１１２，１１６等の数が増えても遊技盤５を製作する上で工数が大きく増加する等の問題が生じるようなこともない。
【００８２】
更に遊技盤５は前面側が面一状であって、外周側に周壁部３２を有し、裏面側を凹凸状に形成して遊技領域１２に対応する厚肉部９２を形成し、その周辺に薄肉部９３、補強リブ９４を形成しているので、遊技盤５をアクリル等の合成樹脂材により成型する場合にも、所定の強度を確保ちながらその材料の使用量を少なくできる。
【００８３】
複合手段６９は発光演出手段６７，６８を内部に備えているため、複合手段６９の前面側の発光演出部８２，１０８を裏側から発光させることができる。また発光演出手段６７の周壁８１、球流下通路７９が遊技領域１２の外周を形成する構造になっているため、この複合手段６９の外側に遊技領域１２を区画する部材を設ける必要はない。
【００８４】
また発光演出手段６８のコネクタ１１１に対応する開口部１１２は周壁９９に取り囲まれた位置にあるが、第２大入賞手段４０の本体部８９と重なっておらないので、コネクタ１１１に対するハーネス側コネクタの接続等も容易に行なえる。
【００８５】
図９は本発明の第２の実施形態を例示する。この複合手段６９は、球流下通路７９の下側に証紙貼付部１３１、発光演出手段１３２とを備えている。発光演出手段１３２は球流下通路７９の上側の発光演出手段６８と同様に発光基板１３７、発光体１３８、コネクタ１３９等を備え、そのコネクタ１３９が遊技盤５の開口部１４０に前後方向に挿通されている。他の構成は第１の実施形態と同様である。
【００８６】
この実施形態では、発光演出手段１３２は遊技領域１２の外側に配置されている。この発光演出手段１３２のように遊技領域１２の外側に遊技部品の一部を配置する場合にも、その部分のコネクタ１３９等の挿通部と対応する開口部１４０を他の開口部８６，１０１，１１２，１１６と別々に設ける等、第１の実施形態と同様に実施できる。
【００８７】
図１０、図１１は本発明の第３の実施形態を例示する。この複合手段６９では、第２大入賞手段４０の第２大入賞口７４を構成する入賞口壁７４ａは、本体部８９の前側に一体に形成され、遊技盤５及び取り付け板７６の開口部１００，１０１に挿通して前側に突出している。なお、前板８０は入賞口壁７４ａの外周に前側から当接し、また入賞口壁７４ａ及び開閉部材７８が挿通部を構成している。他の構成は各実施形態と同様である。
【００８８】
このように遊技盤５及び取り付け板７６に開口部１００，１０１を設けて、第２大入賞手段４０の入賞口壁７４ａ及び開閉部材７８を開口部１００，１０１内に配置することにより、第２大入賞口７４及び入賞口壁７４ａを前側から容易に視認可能であり、視認性が更に向上する利点がある。
【００８９】
図１２〜図１４は本発明の第４の実施形態を例示する。この実施形態は第１大入賞手段３９とその両側の普通入賞手段４２とを取り付け板１４２に組み付けた複合手段１４３を示す。
【００９０】
第１大入賞手段３９は、図１２、図１３に示すように、取り付け板（前部材）１４２と、この取り付け板１４２の裏側に配置され且つ遊技盤５の開口部１４４に前後方向に挿通された本体部１４５を有し、本体部１４５の前端に横長矩形状の第１大入賞口７３が形成され、この第１大入賞口７３を横軸１４１廻りに回動する開閉扉７５により開閉するようになっている。
【００９１】
第１大入賞口７３には入賞した遊技球を裏側へと誘導する入賞通路１４６の途中に検出スイッチ１４７が設けられ、また入賞通路１４６の通路壁の外側、例えば底壁１４６ａの下側に、発光基板１４８にＬＥＤ等の発光体１４９を装着した発光演出手段１５０が配置されている。
【００９２】
発光演出手段１５０は第１大入賞口７３の左右幅の略全幅において、発光体１４９の発光時に第１大入賞口７３の内部に光を照射して、第１大入賞口７３内を発光させるようになっている。なお、発光体１４９に対応して底壁１４６ａ及び／又は上壁１４６ｂの下面等に発光用の乱反射面が設けられている。
【００９３】
普通入賞手段４２は取り付け板１４２の左右両側に配置されており、図１２、図１４に示すように、取り付け板１４２の前側で普通入賞口１５１を形成する口部材１５２と、普通入賞口１５１に連通して取り付け板１４２に一体に形成された入賞通路１５３と、入賞通路１５３に連通して遊技盤５の裏面に装着された落下通路１５４と、落下通路１５４の下側に装着され且つ普通入賞口１５１に入賞した遊技球を検出する検出スイッチ１５５とを備えている。入賞通路１５３は遊技盤５の開口部１５６に前後方向に挿脱自在に挿通されている。他の構成は各実施形態と同様である。
【００９４】
このような複合手段１４３の場合にも、遊技盤５には第１大入賞手段３９、左右の普通入賞手段４２に対応して少なくとも３個の開口部１４４，１５６を別々に設けることにより同様に実施することができる。また第１大入賞口７３はその内部を発光させるように発光演出手段１５０を備えているので、開閉扉７５の開放中に発光体１４９を発光させることにより、第１大入賞手段３９の発光による演出性を更に向上させことができる。
【００９５】
図１５〜図１７は本発明の第５の実施形態を例示する。この実施形態では球流下通路７９の下側に、発光基板１５８にＬＥＤ等の発光体１５９を装着した発光演出手段１６０を設け、その発光体１５９の光により底壁７９ａ側から球流下通路７９を照明するようにしている。
【００９６】
発光基板１５８は球流下通路７９の底壁７９ａに沿って略平行に配置されており、その板面方向が遊技盤５の前面及び取り付け板７６と略直角状に交差するように、適宜固定手段により球流下通路７９の底壁７９ａ等に固定されている。
【００９７】
発光基板１５８には取り付け板７６の開口部１６１、又は取り付け板７６の開口部１６１及び遊技盤５の開口部１６２内に突出する突部１６３が後端側に形成され、この突部１６３に発光基板１５８に沿ってコネクタ１６４が装着されている。コネクタ１６４には遊技盤５の裏側からハーネス側コネクタが着脱自在に接続されている。なお、発光基板１５８の突部１６３、発光基板１５８側のコネクタ１６４によりひとつの挿通部が構成されている。他の構成は各実施形態と同様である。
【００９８】
このように遊技盤５、取り付け板７６の開口部１６１，１６２内でハーネス側コネクタを発光基板１５８側のコネクタ１６４に板面方向に着脱する場合には、取り付け板７６の開口部１６１、又は取り付け板７６及び遊技盤５の開口部１６１，１６２内に突出する突部１６３を設けて、その突部１６３にコネクタ１６４を装着することにより、発光基板１５８側のコネクタ１６４を遊技盤５の裏側に近付けることができ、開口部１６１，１６２を小さくしながらもハーネス側コネクタを発光基板１５８側のコネクタ１６４に容易に着脱することができる。
【００９９】
以上、本発明の実施形態について詳述したが、本発明はこの実施形態に限定されるものではなく、本発明の趣旨を逸脱しない範囲で種々の変更が可能である。遊技盤５に装着する遊技部品は画像表示手段３７、入賞手段３９，４０，４２、演出手段６５，６７，６８，１１８等の単独部品の他、画像表示手段３７、入賞手段３９，４０，４２、演出手段６５の少なくとも一つと発光演出手段６７，６８，１１８等を組み合わせた複合部品であってもよい。二部品を複合した複合部品の場合には、第１挿通部を有する第１部品と、第２挿通部を有する第２部品とを備えたものとなる。
【０１００】
また遊技部品の種類によって遊技盤５の開口部に挿通される挿通部の構成が相違するが、その挿通部は遊技盤５の裏側から前側に挿通するもの、遊技盤５の前側から裏側に挿通されるものの何れであってもよい。
【０１０１】
また挿通部は遊技部品に設けられる突出部５７の配置によって異なる。例えば入賞ケース等の本体部８９と、入賞検出用の検出スイッチ１０７とを備えた入賞手段４０の場合、本体部８９内に検出スイッチ１０７が配置される等、両者が一体又は近接して配置されるときには、両者によって１個の挿通部が構成されるが、両者が離れて配置されているときには、夫々によって各挿通部が構成されることになる。
【０１０２】
また遊技部品は一般的には遊技領域１２内に配置されるものであるが、遊技領域１２の内外両側に跨がって配置されるものでもよい。例えば、複合手段６９等において、その一部が遊技領域１２の外周を形成する区画壁を有するものの場合には、その区画壁の内側に配置される内側配置部と、区画壁の外側に配置される外側配置部とを備えたものでもよい。遊技部品は内レール３３ｂの内外両側に内側配置部と外側配置部とを備えたものでもよい。
【０１０３】
このような内側配置部と外側配置部とを備えた遊技部品において、その夫々の裏側に挿通部が離間してある場合には、各挿通部毎に開口部を設けることとなる。この場合、外側配置部の挿通部に開口する開口部は、遊技盤５の遊技領域１２の外側に設けられる。
【０１０４】
発光演出手段を設ける場合、その発光基板は開口部に対応した形でもよい。その場合、発光基板を遊技盤５と略平行に配置して、この発光基板を開口部の形状に略対応する形状としてもよいし、発光基板を遊技盤５に対して直角方向、その他の方向に配置して、一部が開口部内に入るように発光基板に対応して突出部５７等を形成してもよい。発光体はＬＥＤ以外のものを使用してもよい。
【０１０５】
遊技盤５に設ける演出手段は、遊技の実行又は興趣の向上を目的とするものであって、この演出手段には、可動部を駆動モータ、ソレノイド等の駆動手段で駆動する可動式、発光体、発光基板を備えて所要箇所を直接又は間接的に発光又は照明する発光式又は照明式、その他の形式のものがある。また可動部内に発光演出手段を組み込んでもよい。
【０１０６】
遊技盤５の前面の取り付け板７６は、複数の挿通部に共通の１枚板が望ましいが、各挿通部毎に独立するものでもよい。また実施形態では、前部材として遊技盤５の前面に当接する取り付け板７６等を例示しているが、前部材は遊技盤５に直接当接する他、他の部材を介して遊技盤５の前面に間接的に当接するものでもよい。前部材は前飾りを兼用するものでもよいし、前側の装飾部材又は前飾り体により一部又は全部が覆われた状態で配置されるものでもよい。
【０１０７】
遊技盤５の開口部を各挿通部毎に独立して設ける場合、遊技盤５の殘存領域が拡大して遊技盤５自体の強度が向上するが、その殘存部分が取り付け板７６等から外れて前側に露出する場合には、その部分にも装飾絵柄を設ける等、遊技領域１２内の広域にデザインを施すことが望ましい。また取り付け板７６の前面等、遊技盤５に装着される遊技部品を含めてデザイン化することも可能である。遊技部品には、取り付け板７６の他に、その前側に前飾り体を設けてもよい。
【０１０８】
実施形態の遊技盤５は、アクリル板等による光透過性を有する合成樹脂製として、裏側の凹凸形状、開口部等を射出成型により成型したものを例示しているが、光透過性を有する合成樹脂製等の場合でも平板状に構成することも可能であり、また開口部はルータ等で孔加工してもよい。その他、遊技盤５はベニヤ板等の木製のものでもよい。
【０１０９】
遊技盤５に開口部を形成する場合、その開口部は部品本体と、この部品本体から後方に突出する挿通部とのうち、その挿通部のみを挿通可能な大きさとすることが望ましい。また複合部品その他であって、１の部品本体に対して複数の挿通部がある場合、その部品本体を含む挿通部を挿通可能な大きさの開口部を遊技盤５に形成するよりも、各挿通部のみを挿通可能な大きさの開口部を個別に複数設ける方が、遊技盤５の強度の確保等の点から望ましい。
【０１１０】
更にパチンコ機１に限らず、アレンジボール機、雀球遊技機等の各種の弾球遊技機においても同様に実施することが可能である。
【符号の説明】
【０１１１】
２  外枠
４  前枠
５  遊技盤
１２  遊技領域
３７  画像表示手段（遊技部品）
３９  第１大入賞手段（遊技部品）
４０  第２大入賞手段（遊技部品）
４１  普通図柄始動手段（（遊技部品）
４２  普通入賞手段（遊技部品）
５０  画像表示部
５４  窓枠部（挿通部）
５９，６７，６８，１３２，  発光演出手段（遊技部品）
６９  複合手段（複合部品）
６３，８６，１００，１１２  開口部
６４，８５，１１１，１２４  コネクタ（挿通部）
【図１】
2014217454.tif 000003
【図２】
2014217454.tif 000004
【図３】
2014217454.tif 000005
【図４】
2014217454.tif 000006
【図５】
2014217454.tif 000007
【図６】
2014217454.tif 000008
【図７】
2014217454.tif 000009
【図８】
2014217454.tif 000010
【図９】
2014217454.tif 000011
【図１０】
2014217454.tif 000012
【図１１】
2014217454.tif 000013
【図１２】
2014217454.tif 000014
【図１３】
2014217454.tif 000015
【図１４】
2014217454.tif 000016
【図１５】
2014217454.tif 000017
【図１６】
2014217454.tif 000018
【図１７】
2014217454.tif 000019